(57)【要約】【課題】  本発明は、観賞魚水槽と観葉植物を有する植木鉢を一体化することによって、小型の観賞魚の飼育と観葉植物の水耕栽培を同じに楽しむことができ、且つ観賞性を高めることにある。さらに置き場所を選ばず、且つ観賞魚水槽の手入れを容易にすることにある。【解決手段】  円形に解放した観賞魚水槽１０ａの上部に、空気取入れ孔３１を有するかさ上げリング３０と観葉植物を有する植木鉢２０を垂下重ね一体化し、さらに通気管４２を植木鉢２０の底部を貫通し設け、観賞魚水槽１０ａの水中からエアーを吐出させるようにした。【選択図】    図５
2006271355.tif 000002
【特許請求の範囲】
【請求項１】
円形に解放した観賞魚水槽の上部に、観葉植物を有し、且つ底部に多数の孔を有する円形の縁付き植木鉢を垂下重ね一体化し、さらに通気管を前記植木鉢の底部を貫通し設け、前記観賞魚水槽の水中からエアーを吐出させたことを特徴とする観賞魚水槽を有する観葉植物の水耕栽培。
【請求項２】
観賞魚水槽と縁付き植木鉢の間に、かさ上げリングを重ね一体化し、且つ該リングに空気取入れ孔を設けたことを特徴とする請求項１記載の観賞魚水槽を有する観葉植物の水耕栽培。
【請求項３】
観賞魚水槽と、該観賞魚水槽の上部に垂下重ねた観葉植物を有する植木鉢を、一体化の状態で容易に持ち上げ移動ができることを特徴とする請求項１又は２記載の観賞魚水槽を有する観葉植物の水耕栽培。
【請求項４】
内部に照明灯を有し、且つ上部にエアポンプを配置したポンプ台を、一体化した観賞魚水槽と観葉植物を有する植木鉢のそばに配置し、前記エアポンプと前記通気管とをエアチューブで連通せしめたことを特徴とする請求項１、２又は３記載の観賞魚水槽を有する観葉植物の水耕栽培。
【請求項５】
冬場対策として、水を有する深型バットの底部に水用ヒーターを配置し、さらに水循環装置を設けた加温器の中に、一体化した観賞魚水槽と観葉植物を有する植木鉢を設置したことを特徴とする請求項１、２、３又は４記載の観賞魚水槽を有する観葉植物の水耕栽培。
【発明の詳細な説明】
【発明の詳細な説明】
【技術分野】
【０００１】  本発明は、小型の観賞魚の飼育と観葉植物の水耕栽培を同じに楽しむことができる、観賞魚水槽を有する観葉植物の水耕栽培に関する。
【背景技術】
【０００２】  従来、観賞魚や観葉植物の水耕栽培はそれぞれ独立した水槽及び植木鉢に入れられていた。また小型の観賞魚水槽であっても中に水が入ってる状態では、持ち上げ移動が困難であり、置き場所が限られてしまう。また水槽の水の交換及び掃除が面倒なため、できるだけ長い期間水の交換及び掃除をしないで済むよう種々の濾過装置が市販されてる。小型水槽用には水槽に掛けるだけの外掛け式循環タイプも市販されてる。しかしながら、いずれの濾過装置も水中に浮遊しているものは除去できても、水槽の底部に敷き詰められた砂利等に付着した、餌の食べ残しや糞などによる汚れは殆ど除去できない。
【発明が解決しようとする課題】
【０００３】  本発明は、観賞魚水槽と観葉植物を有する植木鉢を一体化することによって、小型の観賞魚の飼育と観葉植物の水耕栽培を同じに楽しむことができ、且つ観賞性を高めることにある。さらに置き場所を選ばず、且つ観賞魚水槽の手入れを容易にすることにある。
【課題を解決するための手段】
【０００４】  本発明は、上記課題を解決するために下記の手段を講じた。その構成の内、請求項１に記載の構成は、円形に解放した観賞魚水槽の上部に観葉植物を有し、且つ底部に多数の孔を有する円形の縁付き植木鉢を垂下重ね一体化し、さらに通気管を前記植木鉢の底部を貫通し設け、前記観賞魚水槽の水中からエアーを吐出させたことにある。請求項２に記載の構成は、観賞魚水槽と縁付き植木鉢の間に、かさ上げリングを重ね一体化し、且つ該リングに空気取入れ孔を設けたことにある。請求項３に記載の構成は、観賞魚水槽と、該観賞魚水槽の上部に垂下重ねた観葉植物を有する植木鉢を、一体化の状態で容易に持ち上げ移動ができることにある。請求項４に記載の構成は、内部に照明灯を有し、且つ上部にエアポンプを配置したポンプ台を、一体化した観賞魚水槽と観葉植物を有する植木鉢のそばに配置し、前記エアポンプと前記通気管とをエアチューブで連通せしめたことにある。請求項５に記載の構成は、冬場対策として、水を有する深型バットの底部に水用ヒーターを配置し、さらに水循環装置を設けた加温器の中に、一体化した観賞魚水槽と観葉植物を有する植木鉢を設置したことにある。
【０００５】  すなわち、上記構成によって小型の観賞魚の飼育と観葉植物の水耕栽培を同じに楽しむことができ、且つ観賞性を高めるものである。さらに持ち上げ移動が容易なため置き場所を選ばず、何処にでも置くことができ、且つ観賞魚水槽の水の交換及び掃除を容易にする。また観葉植物の植込み材料は、粘土を高温を発泡させたハイドロボールを使用することで、室内でも安心して観葉植物の水耕栽培ができる。
【０００６】  以下に、本発明、観賞魚水槽を有する観葉植物の水耕栽培の管理方法について説明する。室内温度は２０〜３０℃が理想であるが、実施例では、それより２〜３℃の温度の上下は長い時間で無ければほとんど影響がないことが確認されている。また冬場、室内温度が１７℃を下回る場所に置く場合は、請求項５に記載の加温器を使用する。また日中は直射日光の当たらない明るい場所に置くようにする。またエアレーションは連続的に行なう必要はなく一日２〜３時間でもほとんど影響が無いことが、実施例で確認されている。また観賞魚の餌の上げ方は、植木鉢を片手で少し持ち上げその間から小さなスプーンで入れる。
【０００７】  次に、観賞魚水槽の水の交換及び掃除の仕方を説明する。最初に、図５に示す、通気管４２の上部に接続されているエアチューブ４４を外し、水槽１０ａとかさ上げリング３０と植木鉢２０を一体の状態で持ち上げ、床に敷いた新聞紙の上に置く。次にかさ上げリング３０と植木鉢２０を通気管４２と共に持ち上げ、そばに用意してある別の容器に垂下重ねる。次に別の容器に水槽１０ａの水（約半分）を大きめのお玉を使用し魚と一緒にすくい上げ移し、さらに水草１２も取り出す。次に水槽底部の砂利１１を棒でかき回し汚れを浮き上がらせた後、水槽１０ａを傾け水と一緒に一気に流す。これを一度だけ行う。次に取り出した水草を砂利の中に植え込み、水及び魚を水槽１０ａに戻す。次にかさ上げリング３０と植木鉢２０を水槽１０ａの上に垂下重ねた後、汲み置き水を植木鉢２０の上から水位を見ながら注ぐ。このような方法で、２週間に一度水の交換及び掃除をおこなうことで安定した水質維持ができる。また約２ヶ月に一度は５００〜１，０００倍に薄めた液体肥料を水の交換時に植木鉢２０の上から注ぎ入れる。
【発明を実施するための最良の形態】
【０００８】  以下、本発明の実施の形態を、実施例に基づき添付図面を参照にして詳しく説明する。【０００９】  実施例では、図４に示すように、観賞魚水槽１０ａとかさ上げリング３０と観葉植物２１を有する植木鉢２０を一体化した状態でマンションの南東側に面したリビングに８個と北西側に面した洋室に２個配置し、１年間に渡り実験及び観察をおこなった。観賞魚はグッピー、プラティ、アカヒレの３種類で一つの水槽に雄雌１匹づつのペアーから複数匹を入れた。一方観葉植物はポトスライム、ミリオンバンブー、ガジュマル、サンセベリア、パキラ、サンデリアーナの６種類で、且つ植込み材料は粘土を高温で発泡させたハイドロコーン２２を使用した。また北西側に面した洋室に配置した２個には、冬の間、冬場対策として、図６に示す加温器５０を使用した。【００１０】  図１は、円形に解放した観賞魚水槽１０と、観葉植物２１を有し、且つ底部に多数の孔（図示せず）を有する円形の縁付き植木鉢２０を示し、水槽１０はガラス製で植木鉢２０はプラスチック製である。また水槽１０には約２ｌの水が入り、且つ植木鉢２０は５号サイズである。また植込み材料は、粘土を高温で発泡させたハイドロボール２２を使用している。さらに植木鉢２０の端部には外径５ｍｍのステンレス製の通気管４２が植木鉢２０の底部を貫通し設けられ、且つ該通気管４２下方にはエアストーン４３がエアチューブによって接続されている。また水槽１０底部には小粒の砂利１１が敷き詰められ、水草１２が植え込まれている。また水槽１０には観賞魚１３が泳いでいる。【００１１】  図２は、図１に示す、観賞魚水槽１０に観葉植物を有する植木鉢２０を垂下重ね一体化した状態を示し、また該合わせ部には空気取入れ用の開口（図示せず）が設けられている。また植木鉢２０の底部からは植物の根２３が水中に張り出している。また一体化した状態の観賞魚水槽１０と観葉植物を有する植木鉢２０の重さは約４ｋｇであり、容易に持ち上げ移動ができる。【００１２】  図３は、円形に解放した観賞魚水槽１０ａと観葉植物を有する縁付き植木鉢２０と、かさ上げリング３０を示し、且つ該かさ上げリングには空気取入れ用の孔３１が設けてある。またかさ上げリング３０は、縁付き植木鉢２０の縁部と同サイズであり、且つ縁部下方にはめ込み部を有している。また植木鉢２０の色はオレンジ色で、かさ上げリング３０の色はブルー色である。また該図３に示す水槽１０ａは、図１に示す水槽１０より、かさ上げリングの分だけ高さ寸法が低くなっている。【００１３】  図４は、図３に示す観賞魚水槽１０ａに、かさ上げリング３０と縁付き植木鉢２０を重ね一体化した状態を示している。【００１４】  図５は、図４に示す、一体化した観賞魚水槽と観葉植物を有する植木鉢のそばに、内部に照明灯４５を有し、且つ上部にエアポンプ４１を有するポンプ台４０を配置し、該エアポンプ４１と植木鉢の端部に位置する通気管４２とを分岐管を介してエアチューブ４４で連通している状態を示している。またポンプ台の周囲４面は半透明のアクリルプレート４６でカバーされている。【００１５】  図６は、冬場対策として、水を有するステンレス製の深型バット５１の底部に５０Ｗの水用オートヒーター５２を配��し、さらに市販の外掛け式水循環装置５３を設けた加温器５０の中に、図４に示す、一体化した観賞魚水槽と観葉植物を有する植木鉢を設置し、さらに加温器５０の端側上部に設けたアクリル製のプレート台５４の上面に、ポンプ台４０を配置し、該ポンプ台の上部に位置するエアポンプ４１と植木鉢の端部に位置する通気管４２とを分岐管を介してエアチューブ４４で連通している状態を示している。また深型バット５１の底部及び周囲には断熱シート（図示せず）が貼られている。またポンプ台４０を加温器５０の外に配置することで、加温器の中に、一体化した観賞魚水槽と観葉植物を有する植木鉢を２個を設置することが可能である。【００１６】  １年間に渡る実験及び観察によれば、観葉植物に関しては、ポトスライム、ミリオンバンブー、サンデリアーナは、鉢の底部に有する多数の孔から多くの根が水中に張り出し水耕栽培に向いている。またパキラ、ガジュマル、サンセベリアは、夏場は約２週間、植物の根に水が浸かるようにし、その後２日間は水位を植木鉢の底まで下げ水を与えない。また冬場は逆に２日間は根が水に浸るようにし、後２週間は水位を植木鉢の底まで下げ水を与えないようにする。また水位は離れていても容易に確認できるため、水の上げ過ぎによる根腐れや水不足によって枯らすことはない。また植え込み材料もハイドロボールに限るものではないが、ハイドロボールは取り扱いがしやすく、また水洗い後日光に当て乾燥させることで再利用ができ経済的である。【００１７】  一方、実施例での観賞魚は、初期段階では水質が安定せず複数匹の魚が死んでしまったが、その後水質の安定維持に努めた結果、魚が死んでしまうこともほとんど無くなり、残った多くの魚は１年近くなる現在でも元気に泳いでいる。また安定した水質を維持するためには２週間に一度、水槽の水（約半分）の交換と掃除をおこなう必要がある。また卵胎生のグッピーは容易に子供を生ませることができ、一年間の実験及び観察によれば、全体で１０数回子供が生まれたのが記録されている。またグッピーは親が生まれた稚魚を食べてしまうので、生まれたのを見つけたらできるたけ早く別の水槽に移す必要があるが、該観賞魚水槽は小型で取り扱いもしやすいため、稚魚が生まれたのを容易に発見でき、且つ他の水槽に移すのも簡単である。また床に腰を下ろし水槽から６ｍｍ程の稚魚を大きめのお玉ですくい上げ他の水槽に移す作業はとても楽しいものである。【００１８】  また、実施例ではマンションの南東側のリビングは、冬場でも室内温度が１７℃以下になることはなく、観賞魚水槽にヒーター等の冬場対策を施す必要がないことが確認されている。一方北西側に面した部屋の窓側は１０℃近く迄温度が下がることがあり、図６に示す加温器が必要である。また観賞魚としてはグッピーが飼いやすく、且つ色彩色も豊かな上に、卵胎生の魚で容易に子供を生ませることができ観賞魚の飼育としてはとても面白い。
【発明の効果】
【００１９】  以上説明した如く、本発明、観賞魚水槽を有する観葉植物の水耕栽培は、室内に居ながら小型の観賞魚の飼育と観葉植物の水耕栽培を同じに一年中楽しむことができる。また植込み材料を高温で発泡させたハイドロボールを使用することで室内でも安心して水耕栽培ができる。また透き通った水槽の水の中で泳ぐ魚とその上部に位置する緑の観葉植物は、夏は清涼感を冬は潤い感を与え、さらに人間の疲れた体、心を癒し、且つストレスを解消してくれる。また従来水槽の水の交換及び掃除はとても大変で煩わしいものであったが、本発明では実に簡単に、且つ確実に水槽の掃除及び水の交換をおこなうことができる。また観葉植物は、光合成作用、蒸散作用、さらに有害ガスは植物のたくさんの気孔から吸収し、葉から茎、根に送られ浄化する転流作用によって、室内空気を自然浄化する。またエアレーションは魚に酸素を供給するだけでなく、水中に張り出した植物の根を刺激し植物の成長を活発化させる。また一体化した状態の観賞魚水槽と観葉植物を有する植木鉢の重さは約４ｋｇと軽るく、また観賞性にも優れているため、家庭のリビング等だけでなく様々な施設、事務所又は病院の待ち合い室等にも置くことができる。
以下に本発明の効果を請求項毎に説明する。
【００２０】    請求項１の効果は、観賞魚水槽と観葉植物を有する植木鉢を一体化することによって、小型の観賞魚の飼育と観葉植物の水耕栽培を同じに楽しむことができ、且つ観賞性を高めることができる。
【００２１】  請求項２の効果は、観賞魚水槽と観葉植物を有する植木鉢との間にかさ上げリングを重ねることで、水槽の高さをかさ上げリングの分だけ低くすることができ、且つ水槽の手入れをしやすくし、さらに全体の重さを軽くすることができる。また植木鉢の色とかさ上げリングの色を変えることによって、より観賞性を高めることができる。
【００２２】  請求項３の効果は、観賞魚水槽と観葉植物を有する植木鉢を一体化の状態で容易に持ち上げ移動できることで、設置場所を選ばず、何処にでも置くことができる。
【００２３】  請求項４の効果は、内部に照明灯を有し、且つ上部にエアポンプを配置したポンプ台を、一体化した観賞魚水槽と観葉植物を有する植木鉢のそばに配置することで、室内の明かりを消した状態でも魚が泳いでいるのを観賞でき、且つ水草の光合成を活発化させる。またセットとしての観賞性にも優れる。
【００２４】  請求項５の効果は、冬場対策として、水を有する深型バットの底部に水用ヒーターを配置し、さらに水循環装置を設けた加温器の中に、一体化した観賞魚水槽と観葉植物を有する植木鉢を設置することで、どの地域でも小型の観賞魚の飼育と観葉植物の水耕栽培を楽しむことができる。またバット内の水がヒータによって温められることによって、水が蒸発し乾いた室内と上部に位置する観葉植物に潤いを与える。
【図面の簡単な説明】
【図１】  観賞魚水槽と観葉植物を有する植木鉢を示す説明図である。
【図２】  図１を一体化した状態を示す説明図である。
【図３】  観賞魚水槽とかさ上げリングと観葉植物を有する植木鉢を示す説明図である。
【図４】  図３を一体化した状態を示す説明図である。
【図５】  図４のそばにポンプ台を配置した状態を示す説明図である。
【図６】  加温器を使用した、冬場対策の説明図である。
【符号の説明】
１０・・観賞魚水槽、１０ａ・・観賞魚水槽、１１・・砂利、１２・・水草、１３・・観賞魚
２０・・植木鉢、２１・・観葉植物、２２・・ハイドロコーン、２３・・根
３０・・かさ上げリング、３１・・空気取り入れ孔
４０・・ポンプ台、４１・・エアポンプ、４２・・通気管、４３・・エアストーン、４４・・エアチューブ、４５・・照明灯、４６・・アクリルプレート
５０・・加温器、５１・・深型バット、５２・・水用ヒータ、５３・・水循環装置、５４・・プレート台
【図１】
2006271355.tif 000003
【図２】
2006271355.tif 000004
【図３】
2006271355.tif 000005
【図４】
2006271355.tif 000006
【図５】
2006271355.tif 000007
【図６】
2006271355.tif 000008
【手続補正書】
【提出日】平成17年5月31日(2005.5.31)
【手続補正１】
【補正対象書類名】明細書
【補正対象項目名】全文
【補正方法】変更
【補正の内容】
【発明の詳細な説明】
【技術分野】
【０００１】  本発明は、室内に居ながら、小型の観賞魚の飼育と観葉植物の水耕栽培を同じに楽しむことができる、観賞魚水槽を有する観葉植物の水耕栽培に関する。
【背景技術】
【０００２】  従来、観賞魚や観葉植物の水耕栽培はそれぞれ独立した水槽及び植木鉢に入れられていた。また小型の観賞魚水槽であっても中に水が入ってる状態では、持ち運びが困難であり、置き場所が限られてしまう。また水槽の水の交換及び掃除が面倒なため、できるだけ長い期間水の交換及び掃除をしないで済むよう種々の濾過装置が市販されてる。小型水槽用には水槽に掛けるだけの外掛け式循環タイプも市販されてる。しかしながら、いずれの濾過装置も水中に浮遊しているものは除去できても、水槽の底部に敷き詰められた砂利等に付着した、餌の食べ残しや糞などによる汚れは殆ど除去できない。
【発明が解決しようとする課題】
【０００３】  本発明は、観賞魚水槽と観葉植物を有する植木鉢を一体化することによって、小型の観賞魚の飼育と観葉植物の水耕栽培を同じに楽しむことができ、且つ観賞性を高めることにある。さらに置き場所を選ばず、且つ観賞魚水槽の手入れを容易にすることにある。
【課題を解決するための手段】
【０００４】  本発明は、上記課題を解決するために下記の手段を講じた。その構成の内、請求項１に記載の構成は、円形に解放した観賞魚水槽の上部に観葉植物を有し、且つ底部に多数の孔を有する円形の縁付き植木鉢を垂下重ね一体化し、さらに通気管を前記植木鉢の底部を貫通し設け、前記観賞魚水槽の水中からエアーを吐出させたことにある。請求項２に記載の構成は、観賞魚水槽と縁付き植木鉢の間に、かさ上げリングを重ね一体化し、且つ該リングに空気取入れ孔を設けたことにある。請求項３に記載の構成は、観賞魚水槽と、該観賞魚水槽の上部に垂下重ねた観葉植物を有する植木鉢を、一体化の状態で容易に持ち運びができることにある。請求項４に記載の構成は、内部に照明灯を有し、且つ上部にエアポンプを配置したポンプ台を、一体化した観賞魚水槽と観葉植物を有する植木鉢のそばに配置し、前記エアポンプと前記通気管とをエアチューブで連通せしめたことにある。請求項５に記載の構成は、冬場対策として、水を有する深型バットの底部に水用ヒーターを配置し、さらに水循環装置を設けた加温器の中に、一体化した観賞魚水槽と観葉植物を有する植木鉢を設置したことにある。
【０００５】  すなわち、上記構成によって小型の観賞魚の飼育と観葉植物の水耕栽培を同じに楽しむことができ、且つ観賞性を高めるものである。さらに持ち運びが容易なため置き場所を選ばず、何処にでも置くことができ、且つ観賞魚水槽の水の交換及び掃除を容易にする。また観葉植物の植込み材料は、粘土を高温で発泡させたハイドロボールを使用することで、室内でも安心して観葉植物の水耕栽培ができる。
【０００６】  以下に、本発明、観賞魚水槽を有する観葉植物の水耕栽培の管理方法について説明する。室内温度は２０〜３０℃が理想であるが、実施例では、それより２〜３℃の温度の上下は長い時間で無ければ、ほとんど影響がないことが確認されている。また冬場、室内温度が１７℃を下回る場所に置く場合は、請求項５に記載の加温器を使用する。また日中は直射日光の当たらない明るい場所に置くようにする。またエアレーションは連続的に行なう必要はなく一日２〜３時間でも、ほとんど影響が無いことが、実施例で確認されている。また観賞魚の餌の上げ方は、植木鉢を片手で少し持ち上げその間から小さなスプーンで入れる。
【０００７】  次に、観賞魚水槽の水の交換及び掃除の仕方を説明する。最初に、図５に示す、通気管４２の上部に接続されているエアチューブ４４を外し、水槽１０ａとかさ上げリング３０と植木鉢２０を一体の状態で持ち上げ、床に敷いた新聞紙の上に置く。次に、かさ上げリング３０と植木鉢２０を通気管４２と共に持ち上げ、そばに用意してある別の容器に垂下重ねる。次に、別の容器に水槽１０ａの水（約半分）を大きめのお玉を使用し魚と一緒にすくい上げ移し、さらに水草１２も取り出す。次に、水槽底部の砂利１１を棒でかき回し汚れを浮き上がらせた後、水槽１０ａを傾け水と一緒に一気に流す。これを一度だけ行う。次に、取り出した水草を砂利の中に植え込み、水及び魚を水槽１０ａに戻す。次に、かさ上げリング３０と植木鉢２０を水槽１０ａの上に垂下重ねた後、汲み置き水を植木鉢２０の上から水位を見ながら注ぐ。このような方法で、２週間に一度水の交換及び掃除をおこなうことで安定した水質維持ができる。また、１〜２ヶ月に１度、約１，０００倍に薄めた液体肥料を水の交換時に植木鉢２０の上から注ぎ入れる。
【発明を実施するための最良の形態】
【０００８】  以下、本発明の実施の形態を、実施例に基づき添付図面を参照にして詳しく説明する。【０００９】  実施例では、図４に示すように、観賞魚水槽１０ａとかさ上げリング３０と観葉植物２１を有する植木鉢２０を一体化した状態で、当方のマンションの南東側に面したリビングに８個と北西側に面した洋室に２個配置し、１年間に渡り実験及び観察をおこなった。観賞魚はグッピー、プラティ、アカヒレの３種類で一つの水槽に雄雌１匹づつのペアーから複数匹を入れた。一方観葉植物はポトスライム、ミリオンバンブー、ガジュマル、サンセベリア、パキラ、サンデリアーナの６種類で、且つ植込み材料は粘土を高温で発泡させたハイドロコーン２２を使用した。また北西側に面した洋室に配置した２個には、冬の間、冬場対策として、図６に示す加温器５０を使用した。【００１０】  図１は、円形に解放した観賞魚水槽１０と、観葉植物２１を有し、且つ底部に多数の孔（図示せず）を有する円形の縁付き植木鉢２０を示し、水槽１０はガラス製で植木鉢２０はプラスチック製である。また水槽１０には約２ｌの水が入り、且つ植木鉢２０は５号サイズである。また植込み材料は、粘土を高温で発泡させたハイドロボール２２を使用している。さらに植木鉢２０の端部には外径５ｍｍのステンレス製の通気管４２が植木鉢２０の底部を貫通し設けられ、且つ該通気管４２下方にはエアストーン４３がエアチューブによって接続されている。また水槽１０底部には小粒の砂利１１が敷き詰められ、水草１２が植え込まれている。また水槽１０には観賞魚１３が泳いでいる。【００１１】  図２は、図１に示す、観賞魚水槽１０に観葉植物を有する植木鉢２０を垂下重ね一体化した状態を示し、また該合わせ部には空気取入れのための隙間（図示せず）が設けられている。また植木鉢２０の底部からは植物の根２３が水中に張り出している。また一体化した状態の観賞魚水槽１０と観葉植物を有する植木鉢２０の重さは約４ｋｇであり、容易に持ち運びができる。【００１２】  図３は、円形に解放した観賞魚水槽１０ａと観葉植物を有する縁付き植木鉢２０と、かさ上げリング３０を示し、且つ該かさ上げリングには空気取入れ用の孔３１が設けてある。またかさ上げリング３０は、縁付き植木鉢２０の縁部と同サイズであり、且つ縁部下方にはめ込み部を有している。また植木鉢２０の色はオレンジ色で、かさ上げリング３０の色はブルー色である。また該図３に示す水槽１０ａは、図１に示す水槽１０より、かさ上げリングの分だけ高さ寸法が低くなっている。【００１３】  図４は、図３に示す観賞魚水槽１０ａに、かさ上げリング３０と縁付き植木鉢２０を重ね一体化した状態を示している。【００１４】  図５は、図４に示す、一体化した観賞魚水槽と観葉植物を有する植木鉢のそばに、内部に照明灯４５を有し、且つ上部にエアポンプ４１を有するポンプ台４０を配置し、該エアポンプ４１と植木鉢２０の端部に位置する通気管４２とを分岐管を介してエアチューブ４４で連通している状態を示している。またポンプ台の周囲４面は半透明のアクリルプレート４６でカバーされている。【００１５】  図６は、冬場対策として、水を有するステンレス製の深型バット５１の底部に５０Ｗの水用オートヒー��ー５２を配置し、さらに市販の外掛け式水循環装置５３を設けた加温器５０の中に、図４に示す、一体化した観賞魚水槽と観葉植物を有する植木鉢を設置し、さらに加温器５０の端側上部に設けたアクリル製のプレート台５４の上面に、上部にエアポンプ４１を有するポンプ台４０を配置し、エアポンプ４１と植木鉢２０の端部に位置する通気管４２とを分岐管を介してエアチューブ４４で連通している状態を示している。また深型バット５１の底部及び周囲には断熱シート（図示せず）が貼られている。またポンプ台４０を加温器５０の外に配置することで、加温器の中に、一体化した観賞魚水槽と観葉植物を有する植木鉢を２個設置することができる。【００１６】  １年間に渡る実験及び観察によれば、観葉植物に関しては、ポトスライム、ミリオンバンブー、サンデリアーナは、鉢の底部に有する多数の孔から多くの根が水中に張り出し水耕栽培に向いている。またパキラ、ガジュマル、サンセベリアは、夏場は約２週間、植物の根に水が浸かるようにし、その後２日間は水位を植木鉢の底まで下げ水を与えない。また冬場は逆に２日間は根が水に浸るようにし、後２週間は水位を植木鉢の底まで下げ水を与えないようにする。また水位は離れていても容易に確認できるため、水の上げ過ぎによる根腐れや水不足によって枯らすことはない。また植え込み材料もハイドロボールに限るものではないが、ハイドロボールは取り扱いがしやすく、また水洗い後日光に当て乾燥させることで再利用ができ経済的である。【００１７】  一方、実施例での観賞魚は、初期段階では水質が安定せず複数匹の魚が死んでしまったが、その後水質の安定維持に努めた結果、魚が死んでしまうこともほとんど無くなり、残った多くの魚は１年近くなる現在でも元気に泳いでいる。また安定した水質を維持するためには２週間に一度、水槽の水（約半分）の交換と掃除をおこなう必要がある。また卵胎生のグッピーは容易に子供を生ませることができ、一年間の実験及び観察によれば、全体で１０数回子供が生まれたのが記録されている。またグッピーは親が生まれた稚魚を食べてしまうので、生まれたのを見つけたらできるだけ早く別の水槽に移す必要があるが、該観賞魚水槽は小型で取り扱いもしやすいため、稚魚が生まれたのを容易に発見でき、且つ他の水槽に移すのも簡単である。また床に腰を下ろし水槽から６ｍｍ程の稚魚を大きめのお玉ですくい上げ他の水槽に移す作業はとても楽しいものである。【００１８】  また、実施例では、当方のマンションの南東側のリビングは、冬場でも室内温度が１７℃以下になることはなく、観賞魚水槽にヒーター等の冬場対策を施す必要がないことが確認されている。一方北西側に面した部屋の窓側は１０℃近く迄温度が下がることがあり、図６に示す加温器が必要である。また観賞魚としてはグッピーが飼いやすく、且つ色彩色も豊かな上に、卵胎生の魚で容易に子供を生ませることができ観賞魚の飼育としてはとても面白い。
【発明の効果】
【００１９】  以上説明した如く、本発明、観賞魚水槽を有する観葉植物の水耕栽培は、室内に居ながら、小型の観賞魚の飼育と観葉植物の水耕栽培を同じに一年中楽しむことができる。また観葉植物の植込み材料は、粘土を高温で発泡させたハイドロボールを使用することで室内でも安心して水耕栽培ができる。また透明な水槽の水の中で泳ぐ観賞魚とその上部に位置する緑の観葉植物は、人の心を癒し、且つ夏は清涼感を冬は潤い感を与えてくれる。また従来水槽の水の交換及び掃除はとても大変で煩わしいものであったが、本発明では実に簡単に、且つ確実に水の交換及び掃除をおこなうことができる。またＮＡＳＡ（アメリカ航空宇宙局）の植物研究により、観葉植物が室内のホルムアルデヒド等の有害ガスを吸収、浄化するのに有効な手段であることが明らかにされている。またエアレーションは魚に酸素を供給するだけでなく、水中に張り出した植物の根を刺激し植物の成長を活発化させる。また一体化した状態の観賞魚水槽と観葉植物を有する植木鉢の重さは約４ｋｇと軽るく、また観賞性にも優れているため、家庭のリビング等だけでなく様々な施設、事務所又は病院の待ち合い室等にも置くことができる。  以下に本発明の効果を請求項毎に説明する。
【００２０】  請求項１の効果は、観賞魚水槽と観葉植物を有する植木鉢を一体化することによって、小型の観賞魚の飼育と観葉植物の水耕栽培を同じに楽しむことができ、且つ観賞性を高めることができる。
【００２１】  請求項２の効果は、観賞魚水槽と観葉植物を有する植木鉢との間に、空気取入れ孔を有するかさ上げリングを重ねることで、水槽の高さをかさ上げリングの分だけ低くすることができ、水槽の手入れをしやすくする。また全体の重さを軽くすることができる。さらに植木鉢の色とかさ上げリングの色を変えることによって、観賞性をより高めることができる。
【００２２】  請求項３の効果は、観賞魚水槽と観葉植物を有する植木鉢を一体化の状態で容易に持ち運びができることで、設置場所を選ばず、何処にでも置くことができる。
【００２３】  請求項４の効果は、内部に照明灯を有し、且つ上部にエアポンプを配置したポンプ台を、一体化した観賞魚水槽と観葉植物を有する植木鉢のそばに配置することで、室内の明かりを消した状態でも魚が泳いでいるのを観賞でき、且つ水草の光合成を活発化させる。またセットとしての観賞性にも優れる。
【００２４】  請求項５の効果は、冬場対策として、水を有する深型バットの底部に水用ヒーターを配置し、さらに水循環装置を設けた加温器の中に、一体化した観賞魚水槽と観葉植物を有する植木鉢を設置することで、どの地域でも小型の観賞魚の飼育と観葉植物の水耕栽培を楽しむことができる。またバット内の水がヒータによって温められることによって、水が蒸発し乾いた室内と上部に位置する観葉植物に潤いを与える。
【図面の簡単な説明】
【００２５】
【図１】観賞魚水槽と観葉植物を有する植木鉢を示す説明図である。
【図２】図１を一体化した状態を示す説明図である。
【図３】観賞魚水槽とかさ上げリングと観葉植物を有する植木鉢を示す説明図である。
【図４】図３を一体化した状態を示す説明図である。
【図５】図４のそばにポンプ台を配置した状態を示す説明図である。
【図６】加温器を使用した、冬場対策の説明図である。
【符号の説明】
【００２６】１０・・観賞魚水槽、１０ａ・・観賞魚水槽、１１・・砂利、１２・・水草、１３・・観賞魚２０・・植木鉢、２１・・観葉植物、２２・・ハイドロコーン、２３・・根３０・・かさ上げリング、３１・・空気取り入れ孔４０・・ポンプ台、４１・・エアポンプ、４２・・通気管、４３・・エアストーン、４４・・エアチューブ、４５・・照明灯、４６・・アクリルプレート５０・・加温器、５１・・深型バット、５２・・水用ヒータ、５３・・水循環装置、５４・・プレート台
【手続補正２】
【補正対象書類名】特許請求の範囲
【補正対象項目名】全文
【補正方法】変更
【補正の内容】
【特許請求の範囲】
【請求項１】
円形に解放した観賞魚水槽の上部に、観葉植物を有し、且つ底部に多数の孔を有する円形の縁付き植木鉢を垂下重ね一体化し、さらに通気管を前記植木鉢の底部を貫通し設け、前記観賞魚水槽の水中からエアーを吐出させたことを特徴とする観賞魚水槽を有する観葉植物の水耕栽培。
【請求項２】
観賞魚水槽と縁付き植木鉢の間に、かさ上げリングを重ね一体化し、且つ該リングに空気取入れ孔を設けたことを特徴とする請求項１記載の観賞魚水槽を有する観葉植物の水耕栽培。
【請求項３】
観賞魚水槽と、該観賞魚水槽の上部に垂下重ねた観葉植物を有する植木鉢を、一体化の状態で容易に持ち運びができることを特徴とする請求項１又は２記載の観賞魚水槽を有する観葉植物の水耕栽培。
【請求項４】
内部に照明灯を有し、且つ上部にエアポンプを配置したポンプ台を、一体化した観賞魚水槽と観葉植物を有する植木鉢のそばに配置し、前記エアポンプと前記通気管とをエアチューブで連通せしめたことを特徴とする請求項１、２又は３記載の観賞魚水槽を有する観葉植物の水耕栽培。
【請求項５】
冬場対策として、水を有する深型バットの底部に水用ヒーターを配置し、さらに水循環装置を設けた加温器の中に、一体化した観賞魚水槽と観葉植物を有する植木鉢を設置したことを特徴とする請求項１、２、３又は４記載の観賞魚水槽を有する観葉植物の水耕栽培。